(57)【要約】  複数画像を高速で切り替えて表示する表示装置において、表示装置への信号入力を行うコントローラやドライバの駆動周波数を低減させ、駆動周波数を増加させることなく画像を明るくすることが可能な表示装置の実現を目的とする。  複数の走査線と複数のデータ線との各交差点に対応して設けられた複数の画素からなる表示画面（１）と、複数の走査線を駆動する走査線駆動手段（２）と、複数のデータ線を駆動するデータ線駆動手段（３）とを有し、これらの駆動手段を働かせて２種類以上の画像を順次繰り返し表示する画像表示制御手段（４）を有する表示手段本体（５）を備えた表示装置で、画像表示制御手段（４）は、順次表示される２種類以上の画像のうち、少なくとも１種類の画像について、走査線駆動手段（２）に複数の走査線のうち２本以上を同時に選択させる。
2008099936.tif 000002
【特許請求の範囲】
【請求項１】
表示画面の画素を走査しながら、画像データを書込むことにより、２種類以上の画像を前記表示画面上に順次表示する表示システムであって、
前記２種類以上の画像のうち、特定画像について前記表示画面の画素を同時に２以上選択し、前記選択した２以上の画素に同一画像データを同時に書込むことにより前記特定画像を表示し、前記特定画像以外の画像について前記表示画面の画素を個別に選択し、前記個別に選択した画素に画像データを個別に書き込むことにより前記特定画像以外の画像を表示し、これらの画像表示を制御するコントローラを有することを特徴とする表示システム。
【請求項２】
前記表示画面が、複数の走査線と複数のデータ線との各交差点に対応して設けられた複数の画素からなる表示画面であり、
前記複数の走査線を順に走査して前記画素を選択する走査線駆動回路と、
前記走査線駆動回路で選択した画素に画像データを書込むデータ線駆動回路とを有し、
前記コントローラは、前記走査線駆動回路と前記データ線駆動回路とを駆動制御し、前記２種類以上の画像のうち、特定画像について前記複数の走査線から２以上の走査線を同時に選択し、前記２以上の走査線に対応する２以上の画素に同一画像データを同時に書込むことにより前記特定画像を表示し、前記特定画像以外の画像について前記複数の走査線を個別に選択し、前記個別に選択した走査線に対応する画素に画像データを個別に書き込むことにより前記特定画像以外の画像を表示し、これらの画像を前記表示画面上に順次表示する請求項１に記載の表示システム。
【請求項３】
前記コントローラは、
前記同時に選択した２以上の走査線に対応する２以上の画素に前記画像データを書き込むことにより前記特定画像を表示するとともに、１本ずつ選択した前記走査線に対応する前記画素に前記画像データを書き込むことにより前記特定画像以外の画像を表示し、これらの画像を前記表示画面に順次表示する請求項２に記載の表示システム。
【請求項４】
前記コントローラは、
前記２種類以上の画像に、原画像を分割した画像であって、それらの明るさの平均が原画像と同等になる分割画像を含め、前記２以上の走査線を同時に選択し、前記走査線に対応する２以上の画素に前記分割画像の同一画像データを書込む請求項２に記載の表示システム。
【請求項５】
前記コントローラは、
前記順次表示される２種類以上の画像に、特定人にのみ認識可能な秘密画像と、前記秘密画像に重畳して均一な明るさの画像が生成される反転画像とを含め、前記秘密画像に基づいて複数の分割画像を生成し、
前記同時に選択した２以上の走査線に対応する画素に同一画像データを書込むことにより表示する画像と、１本ずつ選択した前記走査線に対応する画素に画像データを書込むことにより表示する画像とを前記複数の分割画像に含める請求項２に記載の表示システム。
【請求項６】
前記コントローラは、
前記順次表示される２種類以上の画像に、特定人にのみ認識可能な秘密画像と、前記秘密画像に重畳して均一な明るさの画像が生成される反転画像と、不特定人が認識可能な公衆画像とを含め、前記同時に選択した２以上の走査線に対応する画素に同一画像データを書込むことにより、少なくとも前記公衆画像を前記表示画面に表示する請求項２に記載の表示システム。
【請求項７】
前記コントローラは、
同時選択した２つ以上の画素に同一画像データを同時に書込んで画像を表示する表示方法を適用した画像の表示期間を、前記表示方法を適用しない画像の表示期間に比べて短く設定する請求項１に記載の表示システム。
【請求項８】
前記コントローラは、
２以上の走査線を同時選択する表示方法による画像の表示期間を、前記表示方法を適用しない画像の表示期間に比べて短く設定する請求項２乃至６のいずれか一項に記載の表示システム。
【請求項９】
前記コントローラは、
前記同時に選択した２以上の画素に同一画像データを書込むのに必要な最大駆動周波数を、個々に選択した画素に画像データを書込むのに必要な最大駆動周波数以下に設定する請求項１乃至８のいずれか一項に記載の表示システム。
【請求項１０】
前記コントローラは、
前記順次表示される２種類以上の画像を表示するタイミングを制御する際に使用する各種クロック周波数のうち少なくとも一種類のクロック周波数を、前記２種類以上の画像の表示方法によらず一定に設定する請求項１乃至９のいずれか一項に記載の表示システム。
【請求項１１】
前記コントローラは、
前記順次表示される２種類以上の画像のうち、２つ以上の画素に同時に同一画像データを書込んで画像を表示するタイミングを制御する際に使用する各種のクロック周波数、或いは２以上の走査線を同時に選択して画像を表示するタイミングを制御する際に使用する各種のクロック周波数、或いは同時選択した２以上のデータ線を同時に画像データを入力して画像を表示するタイミングを制御する際に使用する各種のクロック周波数と、前記表示方法を適用しない画像の表示タイミングを制御する際に使用される各種クロック周波数とを、少なくとも一種類のクロック周波数において、逓倍あるいは分周により生成可能な関係に設定する請求項１乃至９のいずれか一項に記載の表示システム。
【請求項１２】
前記コントローラは、
前記順次表示される２種類以上の画像を表示するタイミングを制御する際に使用するクロック周波数を、複数のデータ線に画像データを転送する周波数、複数の走査線を走査する際の水平同期周波数及び垂直同期周波数、或いは表示駆動に必要なドットクロックとする請求項１０又は１１のいずれかに記載の表示システム。
【請求項１３】
前記コントローラは、
前記同時選択した２以上の画素に同一画像データを順次書込む際に一の画像データの書込み終了時点から次の画像データの書込み開始時点までの期間を、個別に選択した画素に画像データを順次書込む際の前記期間に比べて長く設定する請求項１乃至１２のいずれか一項に記載の表示システム。
【請求項１４】
前記コントローラは、
前記同時選択した２以上の画素に画像データを順次書込む際に一の画像データの書込み終了時点から次の画像データの書込み開始時点までの期間を１フレーム内でほぼ一定に設定する請求項１乃至１３のいずれか一項に記載の表示システム。
【請求項１５】
前記コントローラは、
前記順次表示される２種類以上の画像に特定人間にのみ認識可能な秘密画像を含め、
前記特定人が前記秘密画像を認識可能な期間をほぼ一定に設定する請求項１乃至１４のいずれか一項に記載の表示システム。
【請求項１６】
前記コントローラは、
前記順次表示される２種類以上の画像に、特定人のみが認識可能な秘密画像と、不特定人が認識可能な公衆画像とを含め、前記特定人が前記秘密画像を認識可能な期間をほぼ一定に設定する請求項１乃至１５のいずれか一項に記載の表示システム。
【請求項１７】
前記コントローラは、
前記順次表示される２種類以上の画像に、特定人のみが認識可能な秘密画像を含め、光シャッターを用いることにより、前記光シャッターの使用者のみに前記秘密画像を認識させる請求項１乃至１６のいずれか一項に記載の表示システム。
【請求項１８】
前記コントローラは、
前記順次表示される２種類以上の画像に含まれる、特定人のみが認識可能な秘密画像と、前記秘密画像に重畳して均一な明るさの画像が生成される反転画像とを連続的に切替えて表示し、前記反転画像の表示タイミングを、対応する秘密画像と同一に設定する請求項１７に記載の表示システム。
【請求項１９】
前記コントローラは、
１種類の画像を表示するモードと、２種類以上の画像を順次表示するモードとを切替えて、画像表示を行う請求項１乃至１８のいずれか一項に記載の表示システム。
【請求項２０】
前記コントローラは、
１種類の画像を表示するモードでの表示タイミングを制御する際に使用する各種クロック周波数と、２種類以上の画像を順次表示するモードでの表示タイミングを制御する際に使用する各種クロック周波数とを、少なくとも一種類のクロック周波数において、同一であるか、または、逓倍あるいは分周により生成可能な関係に設定する請求項１９に記載の表示システム。
【請求項２１】
前記コントローラは、
前記順次表示する２種類以上の画像の表示タイミングを制御する際に使用するクロック周波数を、複数のデータ線に画像データを転送する周波数、複数の走査線を走査する際の水平同期周波数及び垂直同期周波数、或いは表示駆動に必要なドットクロックとする請求項１９に記載の表示システム。
【請求項２２】
表示画面の画素を走査しながら、画像データを書込むことにより、２種類以上の画像を前記表示画面上に順次表示する制御を行う制御システムであって、
前記２種類以上の画像のうち、特定画像について前記表示画面の画素を同時に２以上選択し、前記選択した２以上の画素に同一画像データを同時に書込むことにより前記特定画像を表示し、前記特定画像以外の画像について前記表示画面の画素を個別に選択し、前記個別に選択した画素に画像データを個別に書き込むことにより前記特定画像以外の画像を表示し、これらの画像表示を制御するコントローラを有することを特徴とする制御システム。
【請求項２３】
前記表示画面が、複数の走査線と複数のデータ線との各交差点に対応して設けられた複数の画素からなる表示画面であり、
前記複数の走査線を順に走査して前記画素を選択する走査線駆動回路と、
前記走査線駆動回路で選択した画素に画像データを書込むデータ線駆動回路とを有し、
前記コントローラは、前記走査線駆動回路と前記データ線駆動回路とを駆動制御し、前記２種類以上の画像のうち、特定画像について前記複数の走査線から２以上の走査線を同時に選択し、前記２以上の走査線に対応する２以上の画素に同一画像データを同時に書込むことにより前記特定画像を表示し、前記特定画像以外の画像について前記複数の走査線を個別に選択し、前記個別に選択した走査線に対応する画素に画像データを個別に書き込むことにより前記特定画像以外の画像を表示し、これらの画像を前記表示画面上に順次表示する請求項２２に記載の制御システム。
【請求項２４】
表示画面の画素を走査しながら、画像データを書込むことにより、２種類以上の画像を前記表示画面上に順次表示する表示方法であって、
前記２種類以上の画像のうち、特定画像について前記表示画面の画素を同時に２以上選択し、前記選択した２以上の画素に同一画像データを同時に書込むことにより前記特定画像を表示し、前記特定画像以外の画像について前記表示画面の画素を個別に選択し、前記個別に選択した画素に画像データを個別に書き込むことにより前記特定画像以外の画像を表示し、これらの画像表示を制御することを特徴とする表示方法。
【請求項２５】
前記表示画面が、複数の走査線と複数のデータ線との各交差点に対応して設けられた複数の画素からなる表示画面であり、
前記２種類以上の画像のうち、特定画像について前記複数の走査線から２以上の走査線を同時に選択し、前記選択した２以上の走査線に対応する２以上の画素に同一画像データを同時に書込むことにより前記特定画像を表示し、
前記特定画像以外の画像について前記走査線を個別に選択し、前記個別に選択した走査線に対応する画素に画像データを個別に書き込むことにより前記特定画像以外の画像を表示し、
これらの画像を前記表示画面上に順次表示する請求項２４に記載の表示方法。
【発明の詳細な説明】
【技術分野】
【０００１】
本発明は、表示システム、制御システム及び表示方法に関し、特に、複数画像を高速で切替えて表示する表示システム、制御システム及び表示方法に関する。
【背景技術】
【０００２】
現在、ノートパソコン、携帯情報端末（ＰＤＡ）、携帯電話などの携帯端末は、列車や航空機などの乗り物、各種公共施設など他者が存在する場所において日常的に使用さていれる。こうした動きは、ユビキタス情報社会の進展による公衆ＬＡＮ設備の増加に伴い今後更に加速すると予想されるが、こうした環境下では周囲の人間にディスプレイの表示内容が見えてしまうというセキュリティ上、およびプライバシー上の問題が生じる。また個人情報保護法の成立など秘密情報保護の風潮が強まっており、上述のような外出先での使用時だけでなく、職場などでデスクトップ機を使用する場合においても機密性の高い情報には、閲覧資格者以外から保護するなどの対策が必要とされている。【０００３】
こうした要求に対応する技術の１つとして、例えば、複数画像の表示とそれに同期した光シャッターの組合せによる方法が知られている（特許文献１参照）。この技術内容を図２６により説明する。【０００４】
特許文献１に開示された方式は、複数画像の表示に同期した光シャッターを用いることにより、特定の使用者のみが所望の画像を見ることができ、これによって情報を保護するものである。前記方式は図２６に示すように、本来表示したい画像である秘密画像２７１と、前記秘密画像２７１を反転させた画像２７２とを切替えて表示するとともに、図２６（ｃ）に示すように、使用者のみが用いる光シャッター２７３を秘密画像２７１に同期させて透過状態２７３ａとし、反転画像２７２に同期させて光シャッター２７３を遮光状態２７３ｂとしている。【０００５】
これにより、表示された画像は、光シャッターの使用者には図２６（ｂ）に示すように、秘密画像２７１と等しい知覚画像２７５として認識され、周囲の不特定者には図２６（ａ）に示すように、秘密画像２７１に反転画像２７２が重畳された中間調（灰色）の知覚画像２７４として認識される。中間調の知覚画像２７４を認識しても、画像全体が灰色であるため、不特定者が秘密画像２７１を識別することは不可能であり、特定人のみが秘密画像２７１を認識することができる。【０００６】
しかしながら、特許文献１に開示された方式では、秘密にすべき画像がそのままの形で表示されているため、光シャッターを使用しない不特定者であっても、秘密画像２７１が表示された瞬間に目のまばたきを行った場合、或いはカメラによる撮影を行った場合に、秘密画像が認識されてしまう場合がある。この問題を解決する技術の１つとして、秘密画像の分散表示方式が提案されている（特許文献２参照）。【０００７】
前記問題を解決するための特許文献２に開示された方式は図２７に示すように、本来の秘密画像（原画像）である文字「Ａ」が複数の画素２８４の集合により表示されることに注目し、図２７に示す文字「Ａ」を構成する画素２８４を間引いた図２８の３つの画像２８６、２８７、２８８に分散し、これら分散された像２８６，２８７，２８８の間に、秘密画像に関係しないダミー画像を挿入し、高速に切替えてディスプレイに表示するものである。【０００８】
特許文献２では、画素２８４を間引いた３つの画像２８６，２８７，２８８とダミー画像とを高速に切替えて表示するとともに、これらの画像表示と光シャッターの開閉のタイミングを同期させ、分散された秘密画像（分割画像）を表示する時にのみ光シャッターを透過状態とすることにより、人間の目の残像効果を利用することにより、許可されたユーザーのみが秘密画像を観察できるようにしている。また特許文献２では、不特定者には公衆画像を表示しながら、特定人にのみ秘密画像で情報を伝達することも開示されている。【０００９】
特許文献１を特許文献２に適用することも考えられる。この例を図２９に示す。図２９に示す例では、原画像である文字「Ａ」を２つの画像２９１と画像２９３とに分散し、分割画像２９１，２９３に、画像２９１，２９３を反転させた画像２９２、２９４をそれぞれ挿入し、更に公衆画像２９５である文字「Ｆ」を挿入して、これらを高速に切替えてディスプレイに表示する。図２９（ａ）に示すように、シャッター２９６を用いない不特定者は、画像２９１〜２９５が加算された文字「Ｆ」を知覚画像２９７として認識する。一方、図２９（ｃ）に示すように、特定人はシャッター２９６を用い、そのシャッター２９６を前記分割画像２９１，２９３を表示する時に透過状態２９６ａに、反転画像２９２、２９４、および公衆画像２９５を表示する時に遮光状態２９６ｂに制御することにより、特定人は図２９（ｂ）に示すように、分割画像２９１と２９３が加算された文字「Ａ」を知覚画像２９８として認識することができる。【００１０】
図２９に示す例では、たとえ不特定者がまばたきやカメラ撮影によって分割画像２９１あるいは分割画像２９４を知覚したとしても、それらは単独では意味をなさないため、秘匿性がより向上する。また、特許文献３には、画像データの不正コピー防止を目的として、原画像データをＮ個（Ｎ≧２）の画像データに分割する方法が提案されている。【００１１】
【特許文献１】特開平６−１１０４０３号公報
【特許文献２】特開２００１−２５５８４４号公報
【特許文献３】特許第３５７７４５５号
【発明の開示】
【発明が解決しようとする課題】
【００１２】
しかしながら、上述の特許文献２、あるいは特許文献３に開示された方法には問題がある。その問題点を、図２９の例からディスプレイへの表示画像のみを取り出した図３０を用いて説明する。【００１３】
図３０において、画像が矢印の順に表示されるものとし、分割画像３０１から公衆画像３０５までの１連の２種類以上の画像をまとめてフレームと呼び、その繰り返し周波数をフレーム周波数とする。また、フレームを構成する個々の画像をフィールドと呼ぶ。【００１４】
分割画像３０１と反転画像３０２とを合成した画像、および分割画像３０３と反転画像３０４とを合成した画像がそれぞれ中間調の灰色として認識され、また分割画像３０１と分割画像３０３とを合成した画像が図２９に示す知覚画像２９８として認識されるためには、分割画像３０１から反転画像３０４までの画像表示において、ある画像の書込み開始時点から次の画像の書込み開始時点までの期間、すなわちフィールド周期を短くする必要がある。具体的にはフレーム周期を人間の目の残像効果が働く期間以内に、あるいはフリッカが生じない期間以内に短くする必要がある。【００１５】
ＰＣ（パーソナルコンピュータ）などで使用される液晶ディスプレイでは、通常「１フレーム＝１フィールド」であり、そのフレーム周波数は６０Ｈｚである。仮にフレーム周波数６０Ｈｚのままで、図３０のようにフィールド数を増加させた場合、各フィールドの表示周期が同一であれば、１フィールド当りの周波数は通常表示の５倍である３００Ｈｚとなる。画素の駆動周波数もそれに応じて増加するため、解像度がＸＧＡのディスプレイで通常の線順次駆動を行った場合、データドライバの駆動周波数としては、２００ＭＨｚ〜３００ＭＨｚ程度の駆動周波数が要求される。光シャッターを用いて画像を見る場合に、前画像が次の画像に混在することを避けるため、例えば、フィールド周期の一部を書込みに使用し、書込みが終了した時点でバックライトを点灯させるなどの処置を行うとすると、駆動周波数は更に高周波になる。【００１６】
図３０は、秘密画像を２つに分散させた例であるが、分散画像数を増加させれば、当然のことながら周波数は更に増大する。こうした高周波での駆動は、消費電力の増加を招く。書込み期間を長くすることにより、駆動周波数を低下させることができるが、その場合、フィールド周期が一定であれば、バックライトの点灯期間が短くなり、明るさが低下するという問題が生じる。【００１７】
書込み期間をさらに短くするため、単純にドットクロックを増加させても、書込み期間を短縮することはできない。画素への信号入力時間が、通常信号入力時のデータ線の配線遅延で律速されるので、高周波での駆動は困難となる。【００１８】
特許文献３の例でも、画像の分割により、最低でも通常表示時の２倍、分割数の増加によっては更に数倍に駆動周波数が増加するため、消費電力が増大し、駆動が困難になる点では同一の問題を有している。【００１９】
本発明の目的は、複数画像を高速で切替えて表示する表示システムにおいて、表示制御を行うコントローラやドライバの駆動周波数を低減させる、あるいは、駆動周波数を増加させることなく画像を明るく表示する表示システム及び表示方法を提供することにある。
【課題を解決するための手段】
【００２０】
前記目的を達成するため、本発明に係る表示システムは、表示画面の画素を走査しながら、画像データを書込むことにより、２種類以上の画像を前記表示画面上に順次表示する表示システムであって、前記２種類以上の画像のうち、特定画像について前記表示画面の画素を同時に２以上選択し、前記選択した２以上の画素に同一画像データを同時に書込むことにより前記特定画像を表示し、前記特定画像以外の画像について前記表示画面の画素を個別に選択し、前記個別に選択した画素に画像データを個別に書き込むことにより前記特定画像以外の画像を表示し、これらの画像表示を制御するコントローラを有することを特徴とするものである。【００２１】
以上の本発明は、全体構成としての表示システムとして構築したが、これに限られるものではない。本発明は、表示方法、或いは、既存の表示画面などに適用して前記既存の表示画面上に２種類以上の画像を順次表示する制御を行う制御システムとして構築してもよいものである。【００２２】
本発明に係る制御システムは、表示システムの表示画面の画素を走査しながら、画像データを書込むことにより、２種類以上の画像を前記表示画面上に順次表示する制御を行う制御システムであって、
前記２種類以上の画像のうち、特定画像について前記表示画面の画素を同時に２以上選択し、前記選択した２以上の画素に同一画像データを同時に書込むことにより前記特定画像を表示し、前記特定画像以外の画像について前記表示画面の画素を個別に選択し、前記個別に選択した画素に画像データを書き込むことにより前記特定画像以外の画像を表示し、これらの画像を前記表示画面上に順次表示するコントローラを有する構成として構築する。【００２３】
本発明に係る表示方法は、表示画面の画素を走査しながら、画像データを書込むことにより、２種類以上の画像を前記表示画面上に順次表示する表示方法であって、
前記２種類以上の画像のうち、特定画像について前記表示画面の画素を同時に２以上選択し、前記選択した２以上の画素に同一画像データを同時に書込むことにより前記特定画像を表示し、前記特定画像以外の画像について前記表示画面の画素を個別に選択し、前記個別に選択した画素に画像データを書き込むことにより前記特定画像以外の画像を表示し、これらの画像を前記表示画面上に順次表示する構成として構築する。
【発明の効果】
【００２４】
本発明は、複数の画像を高速で切替えて表示する場合に、表示を制御するコントローラやドライバの駆動周波数を低減できる、あるいは駆動周波数を増加させることなく画像を明るくすることができる。
【発明を実施するための最良の形態】
【００２５】
次に、本発明の実施形態について図に基づいて詳細に説明する。【００２６】
本発明の実施形態に係る表示システムは図１及び図３に示すように、表示画面１の画素を走査しながら、画像データを書込むことにより、２種類以上の画像を前記表示画面上に順次表示する表示システムであって、
前記２種類以上の画像のうち、特定画像について前記表示画面の画素を同時に２以上選択し、前記選択した２以上の画素に同一画像データを同時に書込むことにより前記特定画像を表示し、前記特定画像以外の画像について前記表示画面の画素を個別に選択し、前記個別に選択した画素に画像データを書き込むことにより前記特定画像以外の画像を表示し、これらの画像表示を制御するコントローラ１０を有するものである。【００２７】
前記表示画面１の複数の画素は、マトリクス状、或いはこれに準じた形状に配置されている。前記マトリクスに準じた画素の配置としては、例えば隣り合う画素が段違いに配置されている場合が考えられる。要は、前記表示画面１の複数の画素に関する配置は、隣接して配列された画素に画像データがそれぞれ書込まれ、それらの画素に書込まれた画像データの組合せにより、文字や絵などの可視画像を表示可能な配置であれば、いずれのものであってもよいものである。【００２８】
また前記表示画面１の画素は、液晶パネルや有機ＥＬパネルなどの画素電極部、あるいはＣＲＴの蛍光部のように空間的に区切られているものに限らず、レーザープロジェクターのようなレーザー光の被投射部をも含んでいる。前記表示画面１の画素が、図３（ｃ）に示すような例えばＣＲＴの蛍光部やレーザープロジェクターにおけるレーザー光の被投射部である場合について説明する。ＣＲＴの場合、電子銃から出射される電子ビームを蛍光部に照射して、その照射位置を単位として画素に画像データを書込みながら、電子ビームで蛍光部を水平方向に走査すると共に、その走査開始位置を垂直方向にシストし、再び蛍光部を水平方向に走査する操作を繰り返して行うことにより、複数の画素を順次操作する、すなわち蛍光部の有効な表示領域を電子ビームで走査し、蛍光部に画像を表示する。この画像表示は、前記表示画面１の複数の画素がレーザープロジェクターにおけるレーザー光の被投射部である場合も、同様な方式により行われる。【００２９】
また前記表示画面１の複数の画素が、例えば液晶パネルや有機ＥＬパネルなどの画素電極部の場合について説明する。液晶パネルや有機ＥＬパネルなどの画素電極部は一般的にマトリクス状に配置されている。特に液晶パネルの画素電極部を例に取って説明する。前記表示画面１が液晶パネルである場合、図４に示すように表示画面１上には、横方向に伸びる複数の走査線７が縦方向に一定間隔で配列され、縦方向に伸びる複数のデータ線８が横方向に一定間隔で配列され、走査線７とデータ線８との各交差点に対応して画素９がそれぞれ設けられている。さらに、複数の走査線７に走査信号を供給する走査線駆動回路２と、複数のデータ線８に画像データ（電気信号）をそれぞれ入力するデータ線駆動回路３とが設けられている。そして、表示画面１のうち、最上段（最上行）の走査線７（１）に走査信号を供給し、かつ最左列（１）から最右列（ｍ）までの各データ線８にデータ線駆動回路３から画像データを入力して、最上行（１）の走査線７（１）と複数のデータ線８との交差位置に設けられた複数の画素(１，１)から（１，ｍ）に画像データを書込む。つぎに、走査線駆動回路２から出力される走査信号で走査開始位置を最上行（１）から次の行（２）の走査線７にシフトし、前記行（２）の走査線７（２）と複数のデータ線４８との交差位置に設けられた複数の画素(２，１)から（２，ｍ）に画像データを書込む。以上の操作を最上行（１）の走査線７から最下行（ｎ）の走査線７まで順次シフトすることにより、液晶パネルの有効表示面に１フレームの画像を表示する。この操作を繰り返すことにより、複数の画像を表示画面１に順次表示する。表示画面１としての液晶パネルの動作は、有機ＥＬパネルについても同様に行われる。【００３０】
また、走査線駆動回路２及びデータ線駆動回路３を備えている場合、本発明の実施形態における前記コントローラ１０は、前記走査線駆動回路２と前記データ線駆動回路３とを駆動制御し、前記２種類以上の画像のうち、特定画像について前記複数の走査線７から２以上の走査線７（３１）を同時に選択し、前記選択した２以上の走査線７（３１）に対応した２以上の画素９に画像データを同時に書込むことにより前記特定画像を表示し、前記特定画像以外の画像について前記複数の走査線７から走査線７を個別に選択し、前記個別に選択した走査線７に対応した画素９に画像データを個別に書き込むことにより前記特定画像以外の画像を表示し、これらの画像を前記表示画面上に順次表示する。【００３１】
ここで、本発明の実施形態において、表示画面１上に表示する画像毎に表示画面１の画素を同時に２以上選択するとは、走査線駆動回路２及びデータ線駆動回路３を備えている場合、走査線駆動回路２から供給する走査信号に基づいて複数の走査線７のうち、２以上の走査線７を同時に選択することを意味する。図を用いて説明すると、２以上の走査線７を選択するとは、図３（ｃ）（ｄ）に示すように投射パネル１２上に２本の電子ビーム又は２本のレーザー光１８を２箇所に同時に照射する、或いは図５に示すように例えばｋ本の走査線（７）３１を選択することを意味する。【００３２】
さらに本発明の実施形態において、前記選択した２以上の画素に同一画像データを同時に書込むとは、走査線駆動回路２及びデータ線駆動回路３を備えている場合、走査線駆動回路２から同時選択した２以上の走査線（７）３１に走査信号を供給して同時に走査する２以上の画素９に画像データを書込むことを意味する。図を用いて説明すると、同時選択した２以上の画素９に画像データを同時に書込むとは、図３（ｃ），（ｄ）に示すように、２本の電子ビーム又は２本のレーザー光１８を同期させて、その照射位置に画像データを書込む、或いは図５に示すように、同時選択したｋ本の走査線７（３１）とデータ線８との交差点に設けられたｋ個の画素９に画像データを書込むことを意味する。【００３３】
なお、以上の実施形態では、表示画面１とコントローラ１０とを含む表示システムとして構築したが、これに限られるものではない。表示画面１が既に存在するものであれば、この表示画面１に組込むコントローラ１０を、表示画面の画素を走査しながら、画像データを書込むことにより、２種類以上の画像を前記表示画面に順次表示する制御を行う制御システムとして構築してもよいものである。また、前記制御システムのコントローラ１０は、以下に記述する構成のものとして構築してもよいものである。【００３４】
次に本発明の実施形態において、２種類以上の画像を表示画面１上に順次表示する場合のコントローラ１０の動作を図に基づいて説明する。【００３５】
順次表示する２種類以上の画像として、原画像と、前記原画像を例えば図３０に示す２つに分割した２種類の分割画像３０１，３０３とを用いた場合を図２に基づいて説明する。【００３６】
先ず、コントローラ１０は、図６に示すように、表示すべき原画像を入力し（ステップＳ１）、前記原画像を複数の分割画像３０１，３０３に分割する（ステップＳ２）。このとき、コントローラ１０は、分割画像３０１，３０３が、画像の分割数や、同時に選択される画素領域などを考慮し、その平均が元の原画像と同等になるように調整する。この点については後述する。【００３７】
次に、前記分割画像３０１，３０３を所定の順序で表示画面１上に表示する際、本発明の実施形態では、コントローラ１０は、そのうちの少なくとも１つの分割画像３０１又は３０３において、表示画面１の２以上の画素を同時に選択し、その同時選択した２以上の画素に同一の信号を供給することにより、各画素に画像データを書込む。コントローラ１０は、前記操作を表示画面１の全ての画素を操作して、その画素に対して行い、表示画面１に分割画面３０１，３０３を順次表示する。また図２に示すように、コントローラ１０は、分割画像が２以上の枚数１〜Ｎである場合、そのうちの少なくとも１つの分割画像に、２以上の画素を同時選択して、その同時選択した２以上の画素に画像データを書込む。なお、同時選択する画素数は、それぞれの分割画像で異なっていてもよいものである。【００３８】
図４では、原画像を分割した２以上の分割画像のみ表示した例を示しているが、表示順序が相前後する分割画像の間に、原画像や分割画像に無関係なランダム画像を介在させて、これらの画像を順次表示するようにしてもよいし、或いは分割画像毎に、その分割画像に重畳して均一な明るさ（例えば中間調）となる反転画像を付与する、或いは原画像と無関係な公衆画像を加えて、これらの画像を順次表示するようにしてもよいものである。【００３９】
上述した２以上の画像を表示画面１に順次表示する場合を図に基づいて具体的に説明する。【００４０】
表示画面１の画素として、ＣＲＴの蛍光部またはレーザープロジェクターの被投射部を用いる場合に基づいて説明する。以下、表示画面１は前記蛍光部及び前記被投射部を含めて投射パネル１２として表記する。【００４１】
一般には図３（ａ）に示すように、照射部１１から１本の電子ビーム又はレーザー光（以下、総称してレーザー光という）１４を画像データに応じた強度で出射させ、そのレーザー光１８４を投射パネル１２にスポット状に照射させると、その被照射位置１５が発光する。前記レーザー光１８をスキャンさせて前記被照射位置１５を図３（ｂ）に示すように１本の走査ライン１６に沿ってシフトし、１本の走査ライン１６を走査した後、次の１本の走査ライン１６を同様に走査して、画像を表示する。これを繰り返して２以上の画像を順次表示する。【００４２】
本発明の実施形態では図３（ｃ）に示すように、照射部１７から２本のレーザー光１８を出射し、これらのレーザー光１８を投射パネル１２に同時に照射する。レーザー光１８が照射された照射位置で投射パネル１２が発光し、その発光位置が表示画面１の画素を形成する。したがって、図３（ｃ）の場合、２本のレーザー光１８を投射パネル１２に２箇所で同時に照射することにより、投射パネル１２上に２つの画素、すなわち２つの照射位置１５ａ，１５ｂを同時に選択し、その同時選択した２つの照射位置１５ａ，１５ｂの投射パネル１２を発光させる。そして、図３（ｄ）に示すように上述した走査を２本の走査ライン１６ａ，１６ｂに沿って順次行う。前記２本の走査ライン１６ａ，１６ｂに沿う前記走査を終了した時点で点線の矢印で示すように、次の２本の走査ライン１６ａ，１６ｂに沿って２つの画素１５ａ，１５ｂを同時に選択し、その同時選択した画素１５ａ，１５ｂの投射パネル１２を発光させ画像を表示する。これを繰り返して２以上の画像を順次表示する。【００４３】
次に、表示画面１の画素として、液晶パネルや有機ＥＬパネルなどの画素電極部を用いる場合に基づいて説明する。特に、液晶パネルを例にとって説明する。【００４４】
図４に示すように、液晶パネルは、ｎ本の走査線７とｍ本のデータ線８とが表示画面１上に交差して配置され、それらの各交差点に対応して画素９が設けられている。複数の走査線７を駆動する走査線駆動回路２と、複数のデータ線８を駆動するデータ線駆動回路３との制御の下で画素９に画像データが書込まれる。【００４５】
図５に示すように、走査線駆動回路２から走査信号を走査線７に出力して、ｋ本の走査線３１を同時選択し、ｋ個の画素３２に同一画像データを同時に書込む。【００４６】
以上のように本発明の実施形態によれば、少なくとも１つの画像に表示画面の画素を同時に２以上選択し、前記選択した２以上の画素に画像データを同時に書込むため、複数の画像を高速で切替えて表示する場合に、表示制御を行うコントローラやドライバの駆動周波数を低減でき、駆動周波数を増加させることなく画像を明るくすることができる。【００４７】
次に、本発明の実施形態を具体例に基づいて詳細に説明する。【００４８】
（実施形態１）【００４９】
本発明の実施形態における表示画面の画素として、液晶パネルや有機ＥＬパネルなどの画素電極部を用いる例を本発明の実施形態１として説明する。特に、液晶パネルを例にとって説明する。【００５０】
本発明の実施形態１に係る表示システム５は図１に示すように、マトリクス状あるいはそれに準じた形状に配置された複数の画素からなる表示画面１と、２種類以上の画像の順次繰り返し表示を制御するコントローラ１０とを有している。なお、必要に応じて、画像表示に同期して開閉される光シャッター６を備えるようにしている。光シャッター６はコントローラ１０により駆動制御される。【００５１】
図１に示す表示画面１の画素は図４に示すように、ｎ本の走査線７とｍ本のデータ線８との各交差点に対応して設けられている。そして、それぞれの画素９には、複数の走査線７を駆動する走査線駆動回路２と、複数のデータ線８を駆動するデータ線駆動回路３との制御により画像データが書込まれる。本発明の実施形態１では図５に示すように、走査線駆動回路２から出力する走査信号を走査線７に供給することにより、ｋ本の走査線３１を同時に選択して、ｋ個の画素３２を同時に選択する。なお、前記ｋは２以上の整数である。ここで、ｉ番目の走査線７と、ｊ番目のデータ線８との交差点に設けられた画素を（ｉ，ｊ）で表す。【００５２】
コントローラ１０は、特定人にのみ認識可能な秘密画像（原画像）を分割し分割画像として表示する指令を出力する秘密画像分割表示部４０１と、分割画像を表示するに当たって２以上の走査線７を同時に選択する指令を出力する複数走査線同時選択部４０２と、それ以外の分割画像を表示するに当たって走査線７を個別に選択する指令を出力する個別走査線選択部４０３と、各分割画像に重畳して均一な明るさの画像を生成するための反転画像を作成して表示する指令を出力する反転画像表示部４０４とを有している。またコントローラ１０は、必要に応じて、画像表示に合わせて光シャッターの開閉タイミングを制御する指令を出力する光シャッター制御部４０５を有している。また、表示画面１上の画像表示モードを切替る方式である場合、コントローラ１０は、画像のモードを選択するモード切替部４０６を有している。【００５３】
本発明の実施形態１において、画像の表示を開始する際、コントローラ１０は、表示すべき秘密原画像（原画像）が入力され（図６のステップＳ１０１）、前記原画像を複数の分割画像に分割する。コントローラ１０は、前記分割画像について、画像の分割数や、同時に選択される画素領域などを考慮し、その輝度の平均が元の秘密画像と同等になるよう計算を行い、計算された輝度を分割画像に割り当て、分割画像を作成する（図６のステップＳ１０２）。【００５４】
次に、コントローラ１０は、前記分割画像のそれぞれに対して、分割画像に重畳した合成画像が均一な明るさ（例えば中間調の灰色画面）となる反転画像を作成する（図６のステップＳ１０３）。コントローラ１０は、前記分割画像と前記反転画像とを走査線駆動回路２及びデータ線駆動回路３の制御の下で表示画面１上に順次連続して表示させる。【００５５】
前記分割画像と前記反転画像とを表示する際、コントローラ１０は走査線駆動回路２の制御の下で、複数の走査線７から２以上の走査線７を同時に選択して２以上の画素９を同時に選択する画像を特定し（図６のステップＳ１０４）、同時選択した２以上の画素９に同一画像データをデータ線駆動回路３により書込み、ステップＳ１０２で計算した輝度で画像表示を行う（図６のステップＳ１０５）。【００５６】
また、あらかじめ特定された分割画像とその反転画像以外の画像を表示する際、コントローラ１０は、コントローラ１０は走査線駆動回路２の制御の下で、複数の走査線７を通常の方式、すなわち１本ずつ走査線７選択して各画素９を選択することにより、ステップＳ１０２で計算した輝度で画像表示を行う（図６のステップＳ１０６）。【００５７】
以上のように、コントローラ１０は、特定された分割画像及び反転画像を表示する場合、複数の走査線７から２以上の走査線７を同時に選択して２以上の画素９を同時に選択し、前記同時選択した２以上の画素９に同一画像データを同時に書込み、前記画像以外の画像を表示する場合、複数の走査線７から１本の走査線７を選択して各画素９を個別に選択し、前記個別に選択した各画素９に画像データを同時に書込み、これにより、原画像に関連する分割画像及び反転画像と、これ以外の画像とを表示画面１上に順次表示する。【００５８】
以上説明した処理が終了すると、コントローラ１０は、分割画像とその反転画像が全部表示されたかどうかを判定し（図６のステップＳ１０７）、分割画像の表示が終了しない場合はステップ１０４に戻り、終了した場合はステップＳ１０１に戻って次の原画像を取り込む。【００５９】
図６では、分割画像とその反転画像とを表示する例を示しているが、分割画像の間に、原画像や分割画像に無関係なランダム画像を挟むか、あるいは、１フレームの始め、または終わりに、原画像と無関係な公衆画像を加えることもできる。
（実施形態２）【００６０】
次に、本発明の実施形態における表示画面１の画素として、ＣＲＴの蛍光部またはレーザープロジェクターの被投射部を用いる例を本発明の実施形態２として説明する。以下、表示画面１は前記蛍光部及び前記被投射部を含めて投射パネル１２として表記する。【００６１】
一般には図３（ａ）に示すように、照射部１１から１本の電子ビーム又はレーザー光（以下、総称してレーザー光という）１４を画像データに応じた強度で出射させ、そのレーザー光１４を投射パネル１２にスポット状に照射させると、その被照射位置１５が発光する。前記レーザー光１８をスキャンさせて前記被照射位置１５を図３（ｂ）に示すように１本の走査ライン１６に沿ってシフトし、１本の走査ライン１６を走査した後、次の１本の走査ライン１６を同様に走査して、画像を表示する。これを繰り返して２以上の画像を順次表示する。【００６２】
本発明の実施形態２では図３（ｃ）に示すように、照射部１７から２本のレーザー光１８を出射し、これらのレーザー光１８を投射パネル１２に同時に照射する。レーザー光１８が照射された照射位置で投射パネル１２が発光し、その発光位置が表示画面１の画素を形成する。したがって、図３（ｃ）の場合、２本のレーザー光１８を投射パネル１２に２箇所で同時に照射することにより、投射パネル１２上に２つの画素、すなわち２つの照射位置１５ａ，１５ｂを同時に選択し、その同時選択した２つの照射位置１５ａ，１５ｂの投射パネル１２を発光させる。そして、図３（ｄ）に示すように上述した走査を２本の走査ライン１６ａ，１６ｂに沿って順次行う。前記２本の走査ライン１６ａ，１６ｂに沿う前記走査を終了した時点で点線の矢印で示すように、次の２本の走査ライン１６ａ，１６ｂに沿って２つの画素１５ａ，１５ｂを同時に選択し、その同時選択した画素１５ａ，１５ｂの投射パネル１２を発光させ画像を表示する。これを繰り返して２以上の画像を順次表示する。
（実施形態３）【００６３】
次に、本発明の実施形態１において、原画像を２つの分割画像に分割し、前記２つの分割画像を順次表示することにより、原画像を生成する、すなわち再現する表示方法を本発明の実施形態３として説明する。【００６４】
図７（ａ）は、一枚目の分割画像を書込む状態を示しており、図７（ｂ）は二枚目の分割画像を書込む状態を示している。【００６５】
図７（ａ）において、一枚目の分割画像を書込む際、コントローラ１０は、走査線駆動回路２を制御して、複数の走査線７からｋ本の走査線７を同時に選択する。具体的には、図７（ａ）において、行番号１〜ｋのｋ本の走査線７を同時に選択する。これらの同時に選択した走査線を符号４４１で示す。そして、コントローラ１０は、データ線駆動回路３を制御して、ｋ本の走査線７に対応する画素９、すなわちｋ本の走査線７とデータ線８との交差点に設けられた画素９に一枚目の分割画像の画像データを同一信号により同時に書込む。この場合、画像データが書込まれる画素は、列番号１〜ｎの画素４１として示してあり、画素４１に画像データが同時に書込まれる様子を点線４５で示している。【００６６】
行番号１〜ｋの走査線７に対応する画素へ画像データを書込んだ後、コントローラ１０は、走査線駆動回路２を制御して、行番号ｋ＋１から２ｋまでのｋ本の走査線７を同時に選択する。これらの同時に選択した走査線を符号４４２で示す。そして、コントローラ１０は、データ線駆動回路３を制御して、ｋ本の走査線７に対応する画素９、すなわちｋ本の走査線７とデータ線８との交差点に設けられた画素９に一枚目の分割画像の画像データを同一信号により同時に書込む。この場合、画像データが書込まれる画素は、走査線４４２に対応する列番号１〜ｎの画素４１として示してあり、画素４１に画像データが同時に書込まれる様子を点線４５で示している。【００６７】
行番号ｋ＋１〜２ｋの走査線７に対応する画素へ画像データを書込んだ後、コントローラ１０は同様な処理を行い、最終行番号ｍを含めた行番号ｍ−ｋ＋１〜ｍまでのｋ本のｋ本の走査線７を同時に選択する。これらの同時に選択した走査線を符号４４ｎｋで示す。そして、コントローラ１０は、データ線駆動回路３を制御して、ｋ本の走査線７に対応する画素９、すなわちｋ本の走査線７とデータ線８との交差点に設けられた画素９に一枚目の分割画像の画像データを同一信号により同時に書込む。この場合、画像データが書込まれる画素は、走査線４４ｎに対応する列番号１〜ｎの画素４１として示してあり、画素４１に画像データが同時に書込まれる様子を点線４５で示している。【００６８】
以上の過程を経てコントローラ１０の制御の下で一枚目の分割画像の書込みが終了し、次に、コントローラ１０は、図７（ｂ）に示す二枚目の分割画像の書込みを行う。【００６９】
図７（ｂ）に示すように二枚目の分割画像の書込みを行う際、コントローラ１０は、走査線駆動回路２を制御して、行番号１〜ｍまでの走査線７を１本ずつ選択し、その選択した走査線７に対応する画素９、すなわち選択した１本の走査線７とデータ線８との交差点に設けられた列番号１〜ｎの画素９に二枚目の分割画像の画像データが個別に書込まれる。【００７０】
コントローラ１０は、図７（ａ）と図７（ｂ）に示した２つの画像の明るさの平均が分割前の元画像に等しくなるように、原画像を２つの分割画像に分割する。ここでの明るさとは輝度と考えてよい。コントローラ１０は、図７（ａ），（ｂ）に示す２枚の分割画像の表示順序を変えて、図７（ｂ）に示す分割画像を先に表示させ、次いで図７（ｂ）に示す分割画像を表示させるようにしてもよいものである。【００７１】
図７においては画素４１をｍ行×ｎ列の正方形のマトリクス配置としているが、画素の形状や並びに制約はない。表示に使用しないダミー画素を選択する走査線７を付加することや、同時に選択する走査線の本数を同一画像中で変更することもできるので、同時選択する走査線の本数ｋは、表示画面内に配列される走査線の総数ｍの約数である必要はない。【００７２】
また走査線を同時に選択する本数は前記ｋ以外であってもよいものである。即ち、あるフレームの分割画像について同時選択する走査線の本数をｋとして、次のフレームの分割画像について同時選択する走査線の本数を前記ｋと異なる値に設定してもよい。また、１枚の分割画像１を表示する期間中に、同時選択する走査線の本数を変更させてもよい。
（実施形態４）【００７３】
次に、本発明の実施形態１において輝度計算を行う例を本発明の実施形態４として説明する。【００７４】
本発明の実施形態４におけるコントローラ１０は、順次表示する２種類以上の画像に、原画像を分割した画像であって、それらの明るさの平均が原画像と同等になる分割画像を含め、複数のデータ線８に個別の信号を入力させ、２以上の走査線７を同時に選択させることにより分割画像を表示する構成としたものである。ここに、前記明るさとは、輝度と考えてよい。【００７５】
具体的に説明する。図８（ａ）に示すように原画像は、行番号ｘとｘ＋１との２本の走査線７と列番号ｙ，ｙ＋１，ｙ＋２の３本のデータ線８との交差点に設けられた画素５１を使って表示されるものとする。図８（ａ）において、Ｇ（ｘ，ｙ）は座標（ｘ，ｙ）の画素５１に表示される原画像の階調を示している。同様にＧ（ｘ，ｙ＋１）は座標（ｘ，ｙ＋１）の画素５１に表示される原画像の階調、Ｇ（ｘ，ｙ＋２）は座標（ｘ，ｙ＋２）の画素５１に表示される原画像の階調、Ｇ（ｘ＋１，ｙ）は座標（ｘ＋１，ｙ）の画素５１に表示される原画像の階調、Ｇ（ｘ＋１，ｙ＋１）は座標（ｘ＋１，ｙ＋１）の画素５１に表示される原画像の階調、Ｇ（ｘ＋１，ｙ＋２）は座標（ｘ＋１，ｙ＋２）の画素５１に表示される原画像の階調をそれぞれ示している。【００７６】
図８（ｂ）及び図８（ｃ）に示すように２つの分割画像は、図８（ａ）に示す原画像を２つに分割した画像を示すものであり、コントローラ１０は、同時選択した２本の走査線７に対応する画素に画像データを同時に書込むことにより、図８（ｂ）に示す分割画像を表示し、１本ずつ個別に選択した走査線７に対応する画素に画像データを個別に書込むことにより、図８（ｃ）に示す分割画像を表示する。【００７７】
コントローラ１０は、数式（１）に基づいて前記明るさを調節する。図８（ａ）の座標（ｘ，ｙ）の画素に表示される原画像の輝度をＬ（ｘ，ｙ）、図８（ｂ）の座標（ｘ，ｙ）の画素に表示すべき分割画像の輝度をＬ１（ｘ，ｙ）、図８（ｃ）の座標（ｘ，ｙ）の画素に表示すべき分割画像の輝度をＬ２（ｘ，ｙ）とする。コントローラ１０は、Ｌ、Ｌ１、Ｌ２を式（１）に代入して前記明るさを計算する。
（数１）
Ｌ（ｘ，ｙ）＝［Ｌ１（ｘ，ｙ）＋Ｌ２（ｘ，ｙ）］／２      ・・・（１）【００７８】
説明を簡単にするため、以下では、ガンマ＝１とし、輝度の代わりに階調を用いて前記明るさを計算する場合を説明する。ただし、実際の表示画面上では、ガンマ特性を考慮した階調値を用いる。【００７９】
図８（ａ）の座標（ｘ，ｙ）の画素に表示する原画像の階調５２をＧ（ｘ，ｙ）、図８（ｂ）の座標（ｘ，ｙ）の画素に表示すべき分割画像の階調をＧ１（ｘ，ｙ）、図８の座標（ｘ，ｙ）の画素に表示すべき分割画像の階調をＧ２（ｘ，ｙ）とする。コントローラ１０は、Ｇ、Ｇ１、Ｇ２を式（２）に代入して前記明るさを計算する。
（数２）
Ｇ（ｘ，ｙ）＝［Ｇ１（ｘ，ｙ）＋Ｇ２（ｘ，ｙ）］／２      ・・・（２）【００８０】
図７の前提は、原画像を２つの分割画像に分割することとしているが、これを分割画像が原画像をＮ枚に分割した場合に一般化すると、式（３）で規定される。
（数３）
Ｇ（ｘ，ｙ）＝［Ｇ１（ｘ，ｙ）＋Ｇ２（ｘ，ｙ）＋・・・＋ＧＮ（ｘ，ｙ）］／Ｎ  ・・・（３）【００８１】
また図８（ｂ）に示す分割画像の表示を行う場合、コントローラ１０は、座標（ｘ，ｙ）と座標（ｘ＋１，ｙ）との画素を点線で囲んだ画素領域５３を同時選択するため、図８（ｂ）に示す分割画像の表示を行う際に画素に設定する階調相互の関係を、式（４）の関係に設定する。
（数４）
Ｇ１（ｘ，ｙ）＝Ｇ１（ｘ＋１，ｙ）
Ｇ１（ｘ，ｙ＋１）＝Ｇ１（ｘ＋１，ｙ＋１）
Ｇ１（ｘ，ｙ＋２）＝Ｇ１（ｘ＋１，ｙ＋１）                      ・・・（４）【００８２】
図８（ｄ）、（ｅ）、（ｆ）に実際の階調での例を示した。数字は２５６階調における階調値（０〜２５５）を示している。【００８３】
図８（ｂ）に示す分割画像については、図８（ｅ）に示すように、同時選択した同一列の画素における階調を同一の値、すなわちｙ列では６０、ｙ＋１列では４０、ｙ＋２列では２０である。図８（ｃ）に示す分割画像２については、図８（ｂ）に示す分割画像の対応する画素との階調平均が原画像の階調に等しくなるよう、具体的には、同時選択する範囲５６と個別選択する範囲５７とにおける座標（ｘ，ｙ）及び（ｘ＋１，ｙ）の画素５１に設定する階調平均（６０＋１９６）／２，（６０＋１４０）／２が図８（ｄ）に示す原画像の座標（ｘ，ｙ）及び（ｘ＋１，ｙ）の階調１２８，１００に等しくなるように、各画素５１について階調を設定する。この階調設定は、コントローラ１０が行う。ここに示した階調値は一例であり、他の組合せであってよい。また同時選択の走査線数も異なる数であってよい。
（実施形態５）【００８４】
次に、原画像を分割したそれぞれの分割画像を、同時に選択した２以上の画素により表示する例を本発明の実施形態５として説明する。【００８５】
図９において、画素６１は、ｎ列×ｍ行の範囲にマトリクス状に配置してある。図９において、横方向の１〜ｎは列番号を意味し、縦方向の１〜ｍは行番号を意味している。【００８６】
コントローラ１０は図９に示すように、図９（ａ）に示す分割画像と図９（ｂ）に示す分割画像とを表示する際、分割画像毎に２以上の走査線７を同時に選択し、その選択した走査線７に対応する２以上の画素に分割画像の画像データを同時に書込むことにより表示するものであって、図９（ａ）の分割画像と図９（ｂ）の分割画像とを表示する際の走査線７を同時選択する開始位置を異ならせている。【００８７】
具体的に説明する。コントローラ１０は、図９（ａ）に示す分割画像を表示するために第１行目の走査線７を基点として、２行分の走査線７を同時に選択し、図９（ｂ）に示す分割画像を表示するために第２行目の走査線７を基点として、２行分の走査線を同時に選択する。すなわち、コントローラ１０は、図９（ａ）に示す分割画像についての走査線７を同時選択する開始位置に対して、図９（ｂ）に示す分割画像についての走査線７を同時選択する開始位置を走査線の１行分だけずらせている。換言すると、コントローラ１０は、図９（ａ）の分割画像について第１行目の走査線７を基点として２行分の走査線７を同時に選択し、図９（ｂ）の分割画面について第２行目の走査線７を基点として２行分の走査線７を同時に選択する。第１行目と第ｍ行目との走査線７の外側にはダミー画素用の走査線が配置されている。そこで、前記ダミー用走査線と第１行目の走査線７と、前記ダミー用走査線と第ｍ行目の走査線とをそれぞれ同時に選択する走査線の組として用いるようにしてもよいものである。【００８８】
図１０に、本発明の実施形態５における画素に設定する具体的な階調の例を示してある。図１０（ａ）は、原画像を表示する画素に設定した階調を示すものであり、座標（ｘ，ｎ）の画素に設定する階調７１をＧ（ｘ，ｎ）、座標（ｘ＋３，ｎ）の画素に設定する階調７２をＧ（ｘ＋３，ｎ）で表している。図１０（ｂ）及び図１０（ｃ）は、図１０（ａ）に示す原画像を２つに分割した分割画像をそれぞれ示している。図１０（ｂ）において、点線７３は同時選択する画素群を示しており、点線７４は同時選択した画素のうち同一列の画素に設定した階調を示している。図１０（ｃ）において、点線７５は同時選択する画素群を示しており、点線７６は同時選択した画素のうち同一列の画素に設定した階調を示している。図１０（ｄ）は原画像を表示する画素にそれぞれ設定した階調を示しており、図１０（ｅ）は原画像の分割画像を表示する画素にそれぞれ設定した階調を示しており、図１０（ｆ）は原画像の分割画像を表示する画素にそれぞれ設定した階調を示している。また、図１０において、画素群の横方向に付した１〜ｎは列番号、縦方向に付したｘ，ｘ＋１，ｘ＋２，ｘ＋３は行番号をそれぞれ示している。【００８９】
図１０（ｂ）に示す分割画像について点線７３で囲まれた画素であって、点線７４で示す同一列の画素Ｇ（ｘ，１），Ｇ（ｘ＋１，１）に設定する階調は、図１０（ｅ）に示すように同一値に設定し、図１０（ｃ）に示す分割画像について点線７５で囲まれた画素であって、点線７６で示す同一列の画素Ｇ（ｘ−１，１），Ｇ（ｘ，１）に設定する階調は、図１０（ｆ）に示すように同一値に設定している場合を考える。【００９０】
コントローラ１０は、図１０（ｂ）に示す分割画像についての走査線７を同時選択する基点に対して、図１０（ｃ）に示す分割画像についての走査線７を同時選択する基点を走査線１行分だけずらせている。このため、図１０（ｂ）の点線７３，７４で囲まれた画素に設定した階調と、図１０（ｃ）の点線７５，７６で囲まれた画素に設定した階調との平均は、図１０（ｄ）に示す原画像について画素に設定した階調と同一値とすることが可能となる。
（実施形態６）【００９１】
以上説明した実施形態では、コントローラ１０は、複数の走査線７から２以上の走査線７を同時に選択する際、同時選択する対象を隣接する走査線７に設定しているが、これに限られるものではない。コントローラ１０が同時選択する対象を隣接する走査線以外に設定する例を本発明の実施形態６として説明する。【００９２】
本発明の実施形態６に係るコントローラ１０は、図１１（ａ）に示す分割画像について１行おきに２以上の走査線７を同時に選択し、図１１（ｂ）に示す分割画像について隣接する走査線７を対象として２以上の走査線７を同時に選択する。なお、図１１において、画素群の横方向に付した１〜ｎは列番号、縦方向に付した１〜４は行番号をそれぞれ示している。【００９３】
なお、本発明の実施形態６において、コントローラ１０が走査線７を同時選択する条件としては、原画像を分割した複数の分割画像について同時選択する走査線の組合せは、同時選択する走査線が２以上の分割画像について完全に一致しなければ、任意の組合せであってもよいものである。ただし、同時選択する走査線の行が離れてしまうと、同時選択する走査線に対応した画素で分割画像を表示する際に画像の歪み等が生じるので、できるだけ接近した行の走査線７を同時選択する必要がある。前記接近した行の走査線を同時選択する対象とする際には、分割画像の画質等を考慮して適宜選択するものであり、一概に規律されるものではない。【００９４】
図１２において、本発明の実施形態６におけるコンローラ１０が設定する分割画像に対する階調の設定例を示している。図１２（ａ）は、原画像を表示する画素群に設定した階調を一般化して示しており、図１２（ｂ）は、原画像を分割した分割画像を表示する画素群に設定した階調を一般化して示しており、図１２（ｃ）は、原画像を分割した分割画像を表示する画素群に設定した階調を一般化して示している。【００９５】
図１２に示す例では、コントローラ１０は、図１２（ｂ）の分割画像を表示するために、１行分ずれたｘとｘ＋２と行の走査線７と、１行分ずれたｘ＋１とｘ＋３との行の走査線７とをそれぞれ同時選択し、図１２（ｃ）の分割画像を表示するために、隣接したｘ−１とｘとの行の走査線７と、隣接したｘ＋１とｘ＋２との行の走査線７とをそれぞれ同時選択している。さらに、コントローラ１０は、図１２（ｂ）の分割画像を表示する画素に設定する階調と図１２（ｃ）の分割画像を表示する画素に設定する階調との平均を、図１２（ｅ）（ｆ）から明らかなように図１２（ｄ）に示す原画像を表示する画素に設定した階調と同一値をとるように階調の調整を行う。
（実施形態７）【００９６】
以上説明した実施形態では、原画像を２つの分割画像に分割した場合を説明したが、原画像を３つの分割画像に分割する例を本発明の実施形態７として説明する。【００９７】
本発明の実施形態７におけるコントローラ１０は図１３に示すように、原画像を３つの分割画像に分割し、３つの分割画像をそれぞれ表示するために複数の走査線７から３つの走査線７を同時選択し、同時選択した走査線７に対応する、３つの分割画像を表示するための画素に設定する階調を調整する。なお、画素に設定する階調を調整する際、コントローラ１０は、３つの分割画像をそれぞれ表示する画素群に設定する階調の平均が原画像の階調と同一値となるように調整する。また、コントローラ１０が同時選択する走査線７の本数は３以上であれば同時選択する本数に制約を受けるものではなく、しかも、コントローラ１０が同時選択する走査線７は、隣接する走査線ばかりでなく、上述した実施形態にように離れている行の走査線であってもよい。さらには、上述した実施形態で説明した同時選択の方法を適宜組み合わせてもよいものである。【００９８】
具体的に説明すると、コントローラ１０は、図１３（ａ）に示す分割画像を表示するために隣接する行の３本の走査線８１を同時選択し、図１３（ｂ）に示す分割画像を表示するために隣接する行の３本の走査線８２を同時選択し、図１３（ｃ）に示す分割画像を表示するために隣接する３本の走査線８３を同時選択する。なお、図１３において、分割画像を表示するための画素群の横方向に付した１〜ｎは列番号、縦方向に付した１〜ｍは行番号をそれぞれ示している。【００９９】
図１４は、コントローラ１０が階調を調整する例を示すものである。図１４（ａ）は、原画像を表示する画素群に設定した階調を一般化して示しており、図１４（ｂ）は、原画像を表示する画素群に設定した階調を具体化して示している。図１４（ｃ）（ｄ）（ｅ）は、それぞれ分割画像を表示する画素群に設定した階調を具体化して示している。【０１００】
コントローラ１０は図１４から明らかなように、３つの分割画像をそれぞれ表示する画素群に設定する階調の平均が原画像の階調と同一値となるように調整する。
（実施形態８）【０１０１】
実施形態７のコントローラ１０は、同時選択する対象を隣接する走査線７に設定しているが、これに限られるものではない。コントローラ１０が同時選択する対象を隣接する走査線以外に設定する例を本発明の実施形態８として説明する。【０１０２】
図１５（ａ），（ｂ），（ｃ）は、３つに分割した分割画像を表示するための画素群を示しており、各画素群は、ｎ列×ｍ行の範囲にマトリクス状に配置してある。図１５において、横方向の１〜ｎは列番号を意味し、縦方向の１〜ｍは行番号を意味している。【０１０３】
コントローラ１０は図１５に示すように、図１５（ａ）（ｂ）（ｃ）に示す分割画像をそれぞれ表示する際、分割画像毎に２以上の走査線７を同時に選択し、その選択した走査線７に対応する２以上の画素に分割画像の画像データを同時に書込むことにより表示するものであって、図１５（ａ）の分割画像と図１５（ｂ）の分割画像と図１５（ｃ）の分割画像をそれぞれ表示する際の走査線７を同時選択する開始位置を異ならせている。【０１０４】
具体的に説明する。コントローラ１０は、図１５（ａ）に示す分割画像を表示するために第１行目の走査線７を基点として２行分の走査線７を同時に選択し、図１５（ｂ）に示す分割画像を表示するために第２行目の走査線７を基点として２行分の走査線を同時に選択し、図１５（ｃ）に示す分割画像を表示するため第１行目の走査線７を基点として３行分または２行分の走査線を同時選択にする。すなわち、コントローラ１０は、図１５（ａ）に示す分割画像についての走査線７を同時選択する開始位置に対して、図１５（ｂ）に示す分割画像についての走査線７を同時選択する開始位置を走査線の１行分だけずらせ、図１５（ｃ）に示す分割画像についての走査線７を同時選択する開始位置を走査線の１行分だけずらせている。なお、第１行目と第ｍ行目との走査線７の外側にはダミー画素用の走査線が配置されている。そこで、前記ダミー用走査線と第１行目の走査線７と、前記ダミー用走査線と第ｍ行目の走査線とをそれぞれ同時に選択する走査線の組として用いるようにしてよいものである。【０１０５】
コントローラ１０が、分割画像毎に走査線を同時選択する場合、その同時選択する走査線の本数は任意のものでよいが、同時選択する２本の走査線が複数の分割画像を表示するために共通に同時選択させることを避ける必要がある。これは分割画像の画質等に歪みが生じないためである。これを一般化すると、Ｎ枚の分割画像が存在する場合、隣接するｈ行目とｉ行目との走査線が、１〜Ｎの全ての分割画像において同時に選択されるパターンが存在してはならない。また、同時選択する走査線の本数は図１５（ａ）（ｂ）（ｃ）に示すように分割画像毎に変更させてもよく、図１５（ｃ）に示すように同一の分割画像を表示する過程中に変更してもよいものである。
（実施形態９）【０１０６】
次に、本発明の実施形態において、２種類以上の画像を表示するタイミングの例を本発明の実施形態９として説明する。【０１０７】
図１６において、コントローラ１０は、原画像を２つの分割画像１１１，１１３に分割し、これらの分割画像１１１，１１３に反転画像１１２，１１４を含めている。さらにコントローラ１０は、前記画像群に公衆画像１１５を含めている。コントローラ１０は図１６に示すように画像表示タイミングに基づいて前記画像群を表示する、すなわち、前記分割画像１１１に前記反転画像１１２を連続させて表示し、前記反転画像１１１に前記分割画像１１３に前記反転画像１１４を連続させて表示し、必要に応じて前記反転画像１１４に公開画像１１５を連続して表示する。【０１０８】
コントローラ１０は、前後する分割画像１１１と反転画像１１２、前後する反転画像１１２と分割画像１１３と、前後する分割画像１１３と反転画像１１４とをそれぞれ合成した際、画面の明るさが均一（例えば中間調）になるように調整する。また、公衆画像１１５には、原画像と関連性を有しない画像を用いる。【０１０９】
図１６に示す本発明の実施形態９におけるコントローラ１０による画像表示タイミングは、前述した種々の実施形態での説明に用いた分割画像の画像表示に適宜応用される。【０１１０】
本発明の実施形態９におけるコントローラ１０は図１７に示すように、複数の走査線７から２以上（ｋ本）の走査線７を同時選択することにより、その同時選択した走査線７と複数のデータ線８との各交差点に設けられた複数の画素１２１のうち、前記同時選択した走査線７に対応する画素１２１を同時選択し、点線１２５で囲んだ同一列の画素１２１に画像データを同時に書込み、画像の表示を行う。この表示方法が図１６に示す２つの分割画像１１１，１１３のいずれか一方、或いは双方に適用される。
（実施形態１０）【０１１１】
次に、図１６に示した公衆画像１１５の表示例を本発明の実施形態１０として説明する。【０１１２】
本発明の実施形態１０におけるコントローラ１０は図１７に示すように、複数の走査線７から２以上（ｋ本）の走査線７を同時選択することにより、その同時選択した走査線７と複数のデータ線８との各交差点に設けられた複数の画素１２１のうち、前記同時選択した走査線７に対応する画素１２１を同時選択し、点線１２５で囲んだ同一列の画素１２１に公衆画像１１５の画像データを同時に書込み、公衆画像１１５の表示を行う。ここで、公衆画像１１５を表示するために同時選択する走査線１２３の本数ｋは、公衆画像１１５の表示内容が意味をなす程度の小さい値に設定する。【０１１３】
例えば、公衆画像１１５が単純な幾何図形などのように高解像度を必要としない画像であれば、前記ｋの値は比較的大きい値をしてもよく、一方、複雑な図形や文字などの場合は前記ｋの値を小さな値とする。また、表示画面を形成する画素１２３の数が多い場合、前記ｋの値は大きな値をとることが可能であり、そうでない場合、前記ｋの値は小さな値とする。このとき、分割画像や反転画像の表示方法は、これまで説明してきた本発明の実施形態による表示方法のいずれであってもよいし、公衆画像１１５を同時選択した画素で表示する場合、図１６の分割画像１１２，１１３及び反転画像１１２，１１４については、複数の走査線７を個別（１本ずつ）に選択する線順次駆動方式により画素を選択し、その画素に画像を個別に書込むようにしてもよいものである。
（実施形態１１）【０１１４】
次に、本発明の実施形態における画像表示タイミングの例を本発明の実施形態１１として説明する。【０１１５】
図１８は関連する技術の表示例を示すものである。図１８（ａ）は、原画像を３つの分割画像に分割し、これらの３つの分割画像を順次表示する場合を示している。【０１１６】
図１８（ａ）に示すように、例えば表示している分割画像１３１を切替えて次の分割画像１３２を表示する際、分割画像１３１の表示に分割画像１３２の表示が混合することを避けるため、画素への画像データの書込み後に画像表示用光源を点灯している。そのため、一の分割画像の画像データが画素に書込まれた信号書込み終了時点から、次の分割画像の画像データが画素に書込まれる信号書込み開始時点までの期間を点灯期間とする。この場合、分割画像１３１、分割画像１３２、分割画像１３３の全画像において、書込みに要する時間ｔ１（１３４）がそれぞれ同一であり、また、点灯期間Ｔ１（１３５）もそれぞれ同一である。ドットクロックをｆ１とした時、表示画面上の走査線数ｍとデータ線数ｎとから、
（数５）
ｆ1＝（ｍ×ｎ）／ｔ１          ・・・（５）
と仮定する。なお、説明を簡単にするため、ブランキング期間などは考慮していない。【０１１７】
図１８（ｂ）には、特定人にのみ認識可能な秘密画像（原画像）を２つの分割画像１３６，１３８として表示する例を示した。２つの分割画像１３６，１３８には、それぞれ対応する反転画像１３７，１３９が連続して表示され、更に不特定人が認識可能な公衆画像１４０をも表示している。【０１１８】
図１８（ｂ）において、分割画像１３６、反転画像１３７、分割画像１３８、反転画像１３９、公衆画像１４０の全画像において、各画像データの書込みに要する時間ｔ２（１４１）はそれぞれ同一であり、また、点灯期間Ｔ２（１４２）も全て同一である。ドットクロックをｆ２とした時、図１８（ａ）と同様に、
（数６）
ｆ２＝（ｍ×ｎ）／ｔ２          ・・・（６）
と仮定する。【０１１９】
図１９（ａ）は、図１８（ａ）に対応するものであり、図１９（ａ）に示す本発明の実施形態１１において３つの分割画像を順次表示する例を示すものである。図１９（ａ）において、３つの分割画像１５１，１５２，１５３の総表示期間（１フレーム期間）は図１８（ａ）での総表示期間と同一である。【０１２０】
本発明の実施形態１１におけるコントローラ１０は、先行する２つの分割画像１５１及び分割画像１５２を表示するために、同時選択した２以上の画素に画像データを同時に書込み（上述した各実施形態の説明を参照）、分割画像１５１の書込み期間１５４と分割画像１５２の書込み期間１５６とをｔ１／２に設定する。さらにコントローラ１０は、残りの分割画像１５３を、走査線を個別に選択し画素に画像データを個別に書込み、分割画像１５３の書込み期間を２×ｔ１に設定している。【０１２１】
図１９（ａ）に示すように、本発明の実施形態１１におけるコントローラ１０は、同時選択した２以上の画素に画像データを同時に書込むことにより表示を行う２つの分割画像１５１，１５２の表示期間を［ｔ１／２＋Ｔ１］に設定し、同時書込みを行っていない分割画像１５３の表示期間［２×ｔ１＋Ｔ１］よりも短く設定している。【０１２２】
図１９（ｂ）は同様に図１８（ｂ）に対応しており、図１９（ｂ）に示す本発明の実施形態１１においては、分割画像１６０，反転画像１６１，分割画像１６２，反転画像１６３，公衆画像１６４を順次表示している。【０１２３】
図１９（ｂ）に示す本発明の実施形態１１におけるコントローラ１０は、前後する分割画像１６０及び反転画像１６１と、公衆画像１６４とについて、同時選択した２以上の画素に画像データを同時に書込むことにより表示を行い、前後する分割画像１６２及び反転画像１６３について、個別選択した画素に画像データを個別に書込むことにより表示を行う。【０１２４】
図１９（ｂ）に示す場合、コントローラ１０は、分割画像１６０の書込み期間１６５及び反転画像１６１の書込み期間１６７をｔ２／２に設定し、分割画像１６２の書込み期間１６９及び反転画像１６３の書込み期間１７１を１．５×ｔ２に設定している。コントローラ１０は、公衆画像１６４について同時選択した２以上の画素による同時書込みを行っているが、公衆画像１６４の書込み期間をｔ２に設定する。【０１２５】
すなわち、コントローラ１０は、各画像の表示期間の表示期間を式（７）の関係、
（数７）
分割画像・反転画像      公衆画像        分割画像・反転画像
［ｔ２／２＋Ｔ２］  ＜［ｔ２＋Ｔ２］＜［１．５×ｔ２＋Ｔ２］  ・・（７）
に設定し、同時書込みを行った画像の表示期間を、個別書込みを行った画像の表示期間に比べ、図１９（ａ）の場合と同様に短く設定している。【０１２６】
したがって、本発明の実施形態１１では、図１９（ａ）及び（ｂ）に示すような画像表示タイミングを採用することにより、同時選択した２以上の画素に画像データを同時に書込む表示方式と、個別に選択した画素に画像データを個別に書込む表示方式とをコントローラ１０により実行しても、前記表示時期間の設定により、画像同士の混合を回避することができる。
（実施形態１２）【０１２７】
本発明の実施形態１２におけるコントローラ１０による画像表示タイミングについて図１９に基づいて説明する。【０１２８】
図１９に示す表示タイミングにおいて、各画像１５１，１５２，１５３，１６０，１６１，１６２，１６３，１６４の書込み周波数を考える。【０１２９】
図１９（ａ）において、分割画像１５１及び分割画像１５２の書込みを、４本の走査線を同時選択して行うと、式（５）から、分割画像１５１及び分割画像１５２のドットクロックｆａは、
（数８）
ｆａ＝（ｍ／４×ｎ）／（ｔ１／２）＝ｆ１／２          ・・・（８）
となる。【０１３０】
一方、分割画像１５３のドットクロックｆｂは、
（数９）
ｆｂ＝（ｍ×ｎ）／（２×ｔ１）＝ｆ１／２          ・・・（９）
となる。【０１３１】
図１９（ｂ）の場合、分割画像１６０、反転画像１６１、公衆画像１６４の書込みを、４本の走査線を同時選択することにより行うとすると、式（６）から、分割画像１６０及び反転画像１６１のドットクロックｆｃは、
（数１０）
ｆｃ＝（ｍ／４×ｎ）／（ｔ２／２）＝ｆ２／２          ・・・（１０）
となる。【０１３２】
また、公衆画像１６４のドットクロックｆｄは、
（数１１）
ｆｄ＝（ｍ／４×ｎ）／ｔ２＝ｆ２／４          ・・・（１１）
になる。【０１３３】
一方、分割画像１６２及び反転画像１６３は個別書込みなので、ドットクロックは、
（数１２）
ｆｄ＝（ｍ×ｎ）／（１．５×ｔ２）＝ｆ２×２／３            ・・・（１２）
となる。【０１３４】
以上の説明したように本発明の実施形態１２によれば、図１９（ａ）の例では、最高ドットクロックがｆ１／２であり、同様に図１８（ｂ）の例では、最高ドットクロックがｆ２×２／３であり、それぞれ図１８に示す従来表示例のドットクロックであるｆ１、ｆ２に比べ低下させることができる。【０１３５】
本発明の実施形態１２の変更例を説明する。図１９（ａ）においては、式（８）と式（９）とから、分割画像のドットクロックは、３つの分割画像１５１，１５２，１５３の全てで一定である。【０１３６】
図１９（ｂ）の場合、３種類のドットクロックが存在するが、分割画像１６０、反転画像１６１、公衆画像１６４の書込み期間を更に短縮し、それによって生じた剰余分を、分割画像１６２、反転画像１６３に振り向けるか、あるいは点灯期間に振り向けることにより、図１９（ｂ）の場合でも、ドットクロックを一定にすることが可能である。例えば、４本の走査線を同時に選択して画像データの書込みを同時に行う場合、分割画像１６０、反転画像１６１、公衆画像１６４の書込み期間をｔ２×３／８、分割画像１６２、反転画像１６３の書込み期間を１．５×ｔ２とすれば、ドットクロックは全画像１６０〜１６４においてｆ２×２／３とすることができる。【０１３７】
本発明の実施形態１２の変更例を説明する。図１９（ｂ）において、式（１０）、式（１１）、式（１２）から、駆動に必要な周波数の関係は、ｆ２を基準とした場合に、１／２倍、１／４倍、１／１．５倍であり、簡単な分周回路で生成することができる。【０１３８】
ここまで、ドットクロックを例にとって表示周波数の説明をしてきたが、ドットクロックに限らず、画像表示制御手段の制御周波数、水平同期周波数、垂直同期周波数といった、駆動に必要なクロックをできるだけ共通化するか、容易に生成できる関係にすることで、回路的な負担を減らすことが可能である。例えば図１９（ｂ）の場合、ドットクロックは３種類必要とされているが、水平同期周波数は１種類で済ませることが可能である。
（実施形態１３）【０１３９】
本発明の実施形態１３におけるコントローラ１０による画像表示タイミングについて図２０に基づいて説明する。【０１４０】
図２０（ａ）は、図１８（ａ）と同様に、３つの分割画像１８１，１８２，１８３を順次表示する例を示している。３つの分割画像１８１，１８２，１８３を全て表示するための図２０（ａ）における総表示時間（１フレーム期間）は、図１９（ａ）での総表示時間と同一に設定してある。【０１４１】
本発明の実施形態１３におけるコントローラ１０は、図２０（ａ）に示す２つの分割画像１８１，１８２について、同時選択した２以上の画素に画像データを同時に書込むことにより画像表示を行い、分割画像１８１の書込み期間１８４と分割画像１８２の書込み期間１８６をｔ１／２にそれぞれ設定する。また、前記コントローラ１０は、図２０（ａ）に示す分割画像１８３について、個別に選択した画素に画像データを個別に書込むことにより画像表示を行い、分割画像１８３の書込み期間１８８を１．５×ｔ１に設定する。【０１４２】
本発明の実施形態１３によれば、１フレーム期間が一定であるので、分割画像１８１の点灯期間１８５、分割画像１８２の点灯期間１８７、分割画像１８３の点灯期間１８９を、平均して［Ｔ１＋ｔ１／６］まで延ばすことが可能となる。【０１４３】
このとき、走査線７を同時選択する本数が３本以上であれば、ドットクロックの最大値は、分割画像１８３での式（１３）で示されるドッドクロックｆｅである。
（数１３）
ｆｅ＝（ｍ×ｎ）／（１．５×ｔ１）＝ｆ１×２／３      ・・・（１３）【０１４４】
また、点灯期間はＴ１よりも長く、かつドットクロックはｆ１よりも低い値となる。走査線の同時選択本数が２本の場合、分割画像１８１と分割画像１８２においてドットクロックは最大で、その周波数はｆ１となる。この場合、ドットクロックの最大値は変わらないが、点灯期間は長くなる。駆動周波数を当初より低減させるためには、分割画像１８３か、各画像点灯期間への割り振りを少なくする必要がある。【０１４５】
駆動周波数よりも明るさを優先する場合、分割画像１８３の書込み期間を１．５×ｔ１からｔ１へと減少させることにより、平均点灯期間を［Ｔ１＋ｔ１／３］まで延ばすことが可能である。【０１４６】
さらに、本発明の実施形態１３を図２０（ｂ）に基づいて説明する。図２０（ｂ）は図１８（ｂ）に対応しており、総表示期間（１フレーム期間）は、両者で同一とする。本発明の実施形態１３におけるコントローラ１０は、分割画像１９０１、反転画像１９０２、公衆画像１９０５について、２以上の走査線を同時に選択して画像データを同時に書込むことにより画像表示を行っている。そして、コントローラ１０は、分割画像１９０１の書込み期間１９０６、反転画像１９０２の書込み期間１９０８及び公衆画像１９０５の書込み期間１９１４をｔ２／２に設定し、分割画像１９０３の書込み期間１９１０及び反転画像１９０４の書込み期間１９１２をｔ２に設定している。【０１４７】
コントローラ１０は、書込みで短縮した時間を点灯期間に振り分けて、分割画像１９０１の点灯期間１９０７、反転画像１９０２の点灯期間１９０９、分割画像１９０３の点灯期間１９１１及び反転画像１９０４の点灯期間１９１３を［Ｔ２＋ｔ２／４］に設定し、公衆画像１９０５の点灯期間１９１５を［Ｔ２＋ｔ２／２］にしている。ドットクロックは、分割画像１９０３及び反転画像１９０４に関してｆ１のままであるが、点灯期間を延長することができ、表示画像を明るくすることができる。【０１４８】
コントローラ１０が同時に選択した画素に画像データを同時に書込む画像の数を３以上に設定した場合、コントローラ１０が設定する画像の書込み期間がｔ２／２であれば、ドットクロックはｆ１よりも低いため、差分を更に点灯期間に振り向けて表示画像を明るくする、或いは高ドットクロックの表示画像書込み期間に振り向けて駆動周波数を低下させるようにしてもよいものである。【０１４９】
さらに、本発明の実施形態１３を図２０（ｃ）に基づいて説明する。図２０（ｃ）は、図１８（ｂ）に対応している。図２０（ｃ）の場合、コントローラ１０は、全ての表示画像、すなわち分割画像１９１６，反転画像１９１７，分割画像１９１８，反転画像１９１９，公衆画像１９２０について、同時に選択した２以上の画素にそれぞれの画像データを同時に書込み、それぞれの画像の書込み期間を全てｔ２／２に設定し、前記画像の書込みで短縮した時間をそれぞれの前記画像についての点灯時間に振り分けて、全画像の点灯期間を［Ｔ２＋ｔ２／２］に設定している。なお、画像データを同時に書込む画素数は、それぞれの表示画像で異なっていても良い。画像データを同時に書込む画素数が全ての表示画像で同一である場合、ドットクロックおよび水平同期周波数を等しくすることが可能である。
（実施形態１４）【０１５０】
本発明の実施形態１４における表示システムでは、図１９や図２０に示すように、分割画像の書込み方法に関りなく点灯期間をほぼ一定に保つようにする。【０１５１】
本発明の実施形態１４では、光シャッター２０３を使用するものであり、光シャッター２０３が、表示部本体２０１からの同期信号２０４に応じて分割画像の表示画像光２０５に同期して開くことにより、光シャッター２０３の使用者のみが前記分割画像を認識するものである。さらに、本発明の実施形態１４において、順次表示される２種類以上の画像が、特定人にのみ認識可能な秘密画像としての複数の分割画像と、前記秘密画像をそれぞれ反転した反転画像とから構成されている。【０１５２】
図２２（ａ）は、本発明の実施形態１４において表示パネル２０２上に、３分割した分割画像を表示する表示タイミングを示しており、図２１（ｂ）は、光シャッター２０３を開閉する開閉タイミングを示している。【０１５３】
図２２（ａ）に示すように、コントローラ１０は、３つの秘密画像（分割画像）２１１，２１３，２１５についてそれぞれ光シャッター２０３が開く開期間２２７，２２８，２２９をそれぞれ設定すると、各画像への表示割り当て時間２１１，２１３，２１５の中で、分割された秘密画像の認識期間（＝目に入る光量の積分時間）は、光シャッター２０３の開期間２２７，２２８，２２９により決定されているので、表示画像への信号入力終了時点近傍から次の表示画像への信号入力開始時点近傍までの期間が、光シャッター２０３の開期間より長ければ、前記表示画像への信号入力終了時点近傍から次の表示画像への信号入力開始時点近傍までの期間は必ずしも等しくなくてよく、光シャッター２０３の開期間が、各分割画像で一定であればよい。図２２（ｂ）では、各分割画像の表示点灯期間２２２，２２３，２２４中に合わせて光シャッター２０３の開時間２２７，２２８，２２９を一致させるようにした例である。
（実施形態１５）【０１５４】
本発明の実施形態１５における表示システムの一例の表示タイミングを図２３を用いて説明する。この例では、分割画像２３１，反転画像２３２，分割画像２３３，反転画像２３４及び公衆画像２３５について、それぞれ２以上に同時選択した走査線に対応する複数の画素へ前記画像データをそれぞれ同時に書込み、これらの画像を表示画面上に同時に表示している。分割画像２３１の同時書込み期間２３６及び反転画像２３２の同時書込み期間２３８をそれぞれｔ２／２、分割画像２３３の同時書込み期間２４０及び反転画像２３４の同時書込み期間２４２をそれぞれｔ２／２、公衆画像２３５の同時書込み期間２４４をｔ２／２にそれぞれ設定している。【０１５５】
上述した表示方法では、分割画像を表示することにより原画像を精密に再現することが難しくなるため、それらの点灯期間２３７、２３９、２４１、２４３は、Ｔ２で一定とし、単独表示である公衆画像２３５においては、明るさを増すため、［Ｔ２＋ｔ２／２］に点灯期間を延ばしている。公衆画像２３５の明るさを増す必要がなければ、このｔ２／２の増分を、分割画像２３１，２３３と反転画像２３２，２３４の点灯期間に均等に振り分けてもよい。【０１５６】
前記分割画像表示において、液晶のように、信号の入力から実際の応答までに時間を要する材料を使用している場合、その応答時間が書込み期間に比べて充分短ければ問題は生じないが、応答時間が書込み期間に対して無視できないほど長ければ、点灯期間が一定であっても、書込み期間の違いにより画像の表示状態に違いが生じる可能性がある。その場合には、分割された各画像において、書込み期間の違いに応じて画素への印加電圧を変更する、あるいは書込み終了から点灯開始（画像認識開始）までの時間を変更するなどの処置で対応する。【０１５７】
次に、本発明の実施形態１５の変更例を図２１に基づいて説明する。順次表示される２種類以上の画像が、特定人にのみ認識可能な秘密画像の分割画像と、それぞれの秘密画像を反転させた反転画像、不特定人が認識可能な公衆画像とから構成されており、光シャッター２０３を用いることで、この光シャッター２０３の使用者のみが前記秘密画像を認識できるようになる。光シャッター２０３は、有線あるいは無線による同期信号２０４により開閉のタイミングを調節される。ここで光シャッター２０３は液晶などの偏光制御材を用いてもよいし、機械的なシャッターであってもよい。また、光シャッター２０３の形状は、使用者と表示パネルの間に置けるのであればどのようなものでもよく、例えばメガネ型などが望ましいが、他の形状であっても構わない。
（実施形態１６）【０１５８】
図２４は、本発明の実施形態１６において画像を表示する表示タイミングを示しており、図２５は、図２４に示した画像毎に設定した階調値の具体例を示している。【０１５９】
本発明の実施形態１６では、図２４に示すように、分割画像２５１，反転画像２５２，分割画像２５３，反転画像２５４，公衆画像２５５という順で表示を行う。説明を簡単にするため、これまでの例のようにガンマ＝１とし、図２５に示す階調値を用いて記述している。図２５（ａ）は原画像の階調値を示すものであり、マトリクス状に配置した列番号ｙ，ｙ＋１，ｙ＋２、行番号ｘ，ｘ＋１の画素２６１にそれぞれに原画像の階調値を設定している。【０１６０】
図２５（ｂ）は、図２５（ａ）に示す原画像を分割した分割画像（図２４の分割画像２５１）の階調値を示すものであり、コントローラ１０は、分割画像２５１について、２本の同時選択した走査線に対応する同一列の（ｘ，ｙ），（ｘ＋１，ｙ）の画素２６１に同一信号２６３を同時に入力させて画像データを同一列の画素２６１に同時に書込む。コントローラ１０は、反転画像（図２４の反転画像２５２）について、分割画像２５１と同様に、２本の同時選択した走査線に対応する同一列の（ｘ，ｙ），（ｘ＋１，ｙ）の画素２６１に同一信号２６５を同時に入力させて画像データを同一列の画素２６１に同時に書込む。その際、コントローラ１０は、分割画像２５１と反転画像２５２との明るさの平均を均一な値に設定する。なお、コントローラ１０は、分割画像２５１，反転画像２５２について同一列の画素２６１を同時に選択し、同一列の画素２６１を列番号の方向に順次シフトさせる。ここで分割画像と反転画像の均一となる明るさの平均は、中間調に近い値が望ましい。【０１６１】
コントローラ１０は、図２４の分割画像２５３について、１本ずつ個別に選択した走査線に対応する（ｘ，ｙ），（ｘ＋１，ｙ）の同一列の画素２６１に同一信号２６４を個別に入力させて画像データを画素２６１に個別にそれぞれ書込む。コントローラ１０は、反転画像（図２４の反転画像２５４）について、分割画像２５３と同様に、１本ずつ個別に選択した走査線に対応する（ｘ，ｙ），（ｘ＋１，ｙ）の同一列の画素２６１に同一信号２６６を個別に入力させて画像データを同一列の画素２６１に個別にそれぞれ書込む。その際、コントローラ１０は、分割画像２５３と反転画像２５４との明るさの平均を均一な値に設定する。なお、コントローラ１０は、分割画像２５３，反転画像２５４について同一列の画素２６１を個別に選択し、同一列の画素２６１を列番号の方向に順次シフトさせる。ここで分割画像と反転画像の均一となる明るさの平均は、中間調に近い値が望ましい。【０１６２】
ここまでの例では、分割画像に対し、重畳すると均一な画像が生成される反転画像を順次切替えて表示するようにしているが、これは不特定人が見ることのできる公衆画像の表示を行うためである。こうした公衆画像は存在しなくともよく、その場合、分割画像の間に挿入されるのは、原画像や分割画像とは独立なランダム画像であってよい。
（実施形態１７）【０１６３】
表示画面に画像を表示する方式としては、ＰＣの液晶ディスプレイなどに通常見られる、１種類の画像を表示するモード（通常表示モード）と、２種類以上の画像を順次表示するモードとの双方の表示モードを有し、２つの表示モードを切替えて使用する方式を採用することが可能である。【０１６４】
この場合、コントローラ１０は、バックライトも、通常表示モードでは常時点灯、順次表示モードでは一定期間点灯など、それぞれに適した点灯を選択する。さらに、コントローラ１０は、同時選択した２以上の走査線に対応する画素数や書込み期間を調整することにより、両表示モードでの、表示タイミングを制御するのに使用される各種クロック周波数−画像表示制御手段の制御周波数、水平同期周波数、垂直同期周波数、あるいはドットクロックなど−を、同一、もしくは、逓倍あるいは分周により容易に生成可能な関係にする。【０１６５】
本発明の実施形態は、複数の画像を高速に切替えて表示する表示システムにおいて、駆動周波数を低減することができると共に、駆動周波数を増加することなく表示画像を明るくすることができる表示システム、その表示システムによる表示方法を提供することができる。また、以上に述べた表示方法の各工程での実行内容をプログラム化して表示システムのコンピュータに実行させるようにすることもできる。【０１６６】
以上、実施形態（及び実施例）を参照して本願発明を説明したが、本願発明は上記実施形態（及び実施例）に限定されるものではない。本願発明の構成や詳細には、本願発明のスコープ内で当業者が理解し得る様々な変更をすることができる。【０１６７】
この出願は２００７年２月１５日に出願された日本出願特願２００７−０３５４７１を基礎とする優先権を主張し、その開示の全てをここに取り込む。
【産業上の利用可能性】
【０１６８】
本発明によれば、画像を表示する高精細パネル、ノートパソコン、携帯端末、携帯電話などで、使用者のみに特定の画像の認識を許す複数画像表示を、比較的低い駆動周波数で実現することができるので、このような情報処理端末や情報通信などの分野に放範囲に利用される可能性を有している。
【図面の簡単な説明】
【０１６９】
【図１】本発明の実施形態に係る表示システムの構成を示すブロック図である。
【図２】本発明の実施形態において画像を表示する過程を説明するフローチャートである。
【図３】本発明の実施形態による画像表示と関連する技術による画像表示とを比較して図示した説明図である。
【図４】本発明の実施形態１及び２に係る表示システムにおける表示画面を示す図である。
【図５】本発明の実施形態１及び２における画像表示方式を説明する図である。
【図６】本発明の実施形態１において画像表示する過程を説明するフローチャートである。
【図７】本発明の実施形態３において画像表示する動作を説明する説明図である。
【図８】本発明の実施形態４において階調調整を説明する説明図である。
【図９】本発明の実施形態５において画像表示を説明する説明図である。
【図１０】本発明の実施形態５において階調調整を説明する説明図である。
【図１１】本発明の実施形態６において画像表示を説明する説明図である。
【図１２】本発明の実施形態６において階調調整を説明する説明図である。
【図１３】本発明の実施形態７において画像表示を説明する説明図である。
【図１４】本発明の実施形態７において階調調整を説明する説明図である。
【図１５】本発明の実施形態８において画像表示を説明する説明図である。
【図１６】本発明の実施形態９において画像表示を説明する説明図である。
【図１７】本発明の実施形態９において画像表示を説明する説明図である。
【図１８】関連する技術における画像表示タイミングを示す図である。
【図１９】本発明の実施形態１１における画像表示タイミングを示す図である。
【図２０】本発明の実施形態１３における画像表示タイミングを示す図である。
【図２１】本発明の実施形態１４において光シャッターを用いた画像表示を説明する図である。
【図２２】本発明の実施形態１４における光シャッターの開閉タイミングを示す図である。
【図２３】本発明の実施形態１５における画像表示タイミングを説明する説明図である。
【図２４】本発明の実施形態１６における画像表示を説明する説明図である。
【図２５】本発明の実施形態１６における階調調整を説明する説明図である。
【図２６】関連する技術における画像表示タイミングを示す説明図である。
【図２７】原画像の一例を示す説明図である。
【図２８】図２７に示す原画像を分割した分割画像を説明する説明図である。
【図２９】関連する技術において画像を順次表示する過程を説明する説明図である。
【図３０】関連する技術において表示画像を順次表示する過程を示す説明図である。
【符号の説明】
【０１７０】
１  表示画面
２  走査線駆動回路
３  データ線駆動回路
１０  コントローラ
【図１】
2008099936.tif 000003
【図２】
2008099936.tif 000004
【図３】
2008099936.tif 000005
【図４】
2008099936.tif 000006
【図５】
2008099936.tif 000007
【図６】
2008099936.tif 000008
【図７】
2008099936.tif 000009
【図８】
2008099936.tif 000010
【図９】
2008099936.tif 000011
【図１０】
2008099936.tif 000012
【図１１】
2008099936.tif 000013
【図１２】
2008099936.tif 000014
【図１３】
2008099936.tif 000015
【図１４】
2008099936.tif 000016
【図１５】
2008099936.tif 000017
【図１６】
2008099936.tif 000018
【図１７】
2008099936.tif 000019
【図１８】
2008099936.tif 000020
【図１９】
2008099936.tif 000021
【図２０】
2008099936.tif 000022
【図２１】
2008099936.tif 000023
【図２２】
2008099936.tif 000024
【図２３】
2008099936.tif 000025
【図２４】
2008099936.tif 000026
【図２５】
2008099936.tif 000027
【図２６】
2008099936.tif 000028
【図２７】
2008099936.tif 000029
【図２８】
2008099936.tif 000030
【図２９】
2008099936.tif 000031
【図３０】
2008099936.tif 000032
【国際調査報告】
2008099936.tif 000033
2008099936.tif 000034
2008099936.tif 000035
2008099936.tif 000036
2008099936.tif 000037
2008099936.tif 000038